(57)【要約】【課題】地図情報と連携して配信される電子チラシを閲覧して購入しようとする商品を選んでいくにあたり、どの商品をどの店舗で購入する予定であったのかが容易に確認できるようにする。【解決手段】表示部に表示された閲覧対象の電子チラシに関連付けられた操作に応じて入力されるメモ内容と閲覧対象の電子チラシの配信元の店舗とを対応付けたメモ情報をメモ管理情報に登録したうえで、地図画像上に店舗の位置を示す店舗標示を配置した店舗案内画像を表示するにあたり、メモ管理情報にメモ情報が登録されている店舗については、メモ情報が登録されていることを示す態様により店舗標示を表示するように電子チラシ閲覧装置を構成する。【選択図】図７
2014194639.tif 000002
【特許請求の範囲】
【請求項１】
閲覧対象の電子チラシがユーザによって閲覧されるように出力する電子チラシ出力部と、
前記電子チラシ出力部によって出力された閲覧対象の電子チラシに関連付けられた操作に応じて入力されるメモ内容と前記閲覧対象の電子チラシの配信元の店舗とを対応付けたメモ情報をメモ管理情報に登録するメモ管理部と、
地図画像上に店舗の位置を示す店舗標示を配置した店舗案内画像を表示するにあたり、前記メモ管理情報にメモ情報が登録されている店舗については、メモ情報が登録されていることを示す態様により店舗標示を表示させる店舗案内画像表示部と、
を備える電子チラシ閲覧装置。
【請求項２】
前記店舗案内画像表示部は、
メモ情報が登録されていることを示す態様により表示された店舗標示を指定する操作に応じて、指定された店舗標示が示す店舗に対応付けられて前記メモ管理情報に登録されているメモ情報の内容を表示する
請求項１に記載の電子チラシ閲覧装置。
【請求項３】
閲覧対象の電子チラシがユーザによって閲覧されるように出力する電子チラシ出力ステップと、
前記電子チラシ出力ステップによって出力された閲覧対象の電子チラシに関連付けられた操作に応じて入力されるメモ内容と前記閲覧対象の電子チラシの配信元の店舗とを対応付けたメモ情報をメモ管理情報に登録するメモ管理ステップと、
地図画像上に店舗の位置を示す店舗標示を配置した店舗案内画像を表示するにあたり、前記メモ管理情報にメモ情報が登録されている店舗については、メモ情報が登録されていることを示す態様により店舗標示を表示させる店舗案内画像表示ステップと、
を備える電子チラシ閲覧方法。
【請求項４】
コンピュータに、
閲覧対象の電子チラシがユーザによって閲覧されるように出力する電子チラシ出力ステップと、
前記電子チラシ出力ステップによって出力された閲覧対象の電子チラシに関連付けられた操作に応じて入力されるメモ内容と前記閲覧対象の電子チラシの配信元の店舗とを対応付けたメモ情報をメモ管理情報に登録するメモ管理ステップと、
地図画像上に店舗の位置を示す店舗標示を配置した店舗案内画像を表示するにあたり、前記メモ管理情報にメモ情報が登録されている店舗については、メモ情報が登録されていることを示す態様により店舗標示を表示させる店舗案内画像表示ステップと、
を実行させるためのプログラム。
【発明の詳細な説明】
【技術分野】
【０００１】
本発明は、電子チラシ閲覧装置、電子チラシ閲覧方法及びプログラムに関する。
【背景技術】
【０００２】
ネットワークを利用して広告情報を端末に配信することが行われている。例えば、特許文献１には、以下のような販売促進システムが記載されている。
特許文献１に記載の販売促進システムにおいては、ユーザ端末からの店舗情報の取得要求に応じて、店舗情報提供サーバが、ユーザ情報の示す住所の周辺の地図情報のＷｅｂページを送信する。ユーザ端末は、受信したＷｅｂページを利用して、地図画像上に店舗のアイコンが配置された画像を表示させる。また、ユーザ端末装置は、店舗のアイコンに対するクリック操作に応じて店舗情報のＷｅｂページの取得要求を店舗情報提供サーバに送信し、店舗情報提供サーバは、店舗の基本情報（店名、住所、電話番号など）と広告情報を合成したＷｅｂページをユーザ端末に送信し、ユーザ端末は、受信したＷｅｂページを表示させるというものである。
【先行技術文献】
【特許文献】
【０００３】
【特許文献１】特開２００８−２１７４１８号公報
【発明の概要】
【発明が解決しようとする課題】
【０００４】
上記のように地図情報と連携して広告情報（電子チラシ）を配信するシステムでは、例えば、電子チラシを見て商品を購入しようとしたときに、その商品を販売する店舗の場所を即座に把握することができる。しかし、購入しようとする商品が増えてくると、ユーザとしては、どの商品をどの店舗で購入しようと思っていたのかを正確に記憶しておくことが難しくなってくる。
【０００５】
本発明は、このような事情に鑑みてなされたもので、地図情報と連携して配信される電子チラシを閲覧して購入しようとする商品を選んでいくにあたり、どの商品をどの店舗で購入する予定であったのかが容易に確認できるようにすることを目的とする。
【課題を解決するための手段】
【０００６】
上述した課題を解決するために、本発明の一態様としての電子チラシ閲覧装置は、閲覧対象の電子チラシがユーザによって閲覧されるように出力する電子チラシ出力部と、前記電子チラシ出力部によって出力された閲覧対象の電子チラシに関連付けられた操作に応じて入力されるメモ内容と前記閲覧対象の電子チラシの配信元の店舗とを対応付けたメモ情報をメモ管理情報に登録するメモ管理部と、地図画像上に店舗の位置を示す店舗標示を配置した店舗案内画像を表示するにあたり、前記メモ管理情報にメモ情報が登録されている店舗については、メモ情報が登録されていることを示す態様により店舗標示を表示させる店舗案内画像表示部とを備える。
【０００７】
また、上記の電子チラシ閲覧装置において、前記店舗案内画像表示部は、メモ情報が登録されていることを示す態様により表示された店舗標示を指定する操作に応じて、指定された店舗標示が示す店舗に対応付けられて前記メモ管理情報に登録されているメモ情報の内容を表示してもよい。
【０００８】
また、本発明の一態様としての電子チラシ閲覧方法は、閲覧対象の電子チラシがユーザによって閲覧されるように出力する電子チラシ出力ステップと、前記電子チラシ出力ステップによって出力された閲覧対象の電子チラシに関連付けられた操作に応じて入力されるメモ内容と前記閲覧対象の電子チラシの配信元の店舗とを対応付けたメモ情報をメモ管理情報に登録するメモ管理ステップと、地図画像上に店舗の位置を示す店舗標示を配置した店舗案内画像を表示するにあたり、前記メモ管理情報にメモ情報が登録されている店舗については、メモ情報が登録されていることを示す態様により店舗標示を表示させる店舗案内画像表示ステップとを備える。
【０００９】
また、本発明の一態様としてのプログラムは、コンピュータに、閲覧対象の電子チラシがユーザによって閲覧されるように出力する電子チラシ出力ステップと、前記電子チラシ出力ステップによって出力された閲覧対象の電子チラシに関連付けられた操作に応じて入力されるメモ内容と前記閲覧対象の電子チラシの配信元の店舗とを対応付けたメモ情報をメモ管理情報に登録するメモ管理ステップと、地図画像上に店舗の位置を示す店舗標示を配置した店舗案内画像を表示するにあたり、前記メモ管理情報にメモ情報が登録されている店舗については、メモ情報が登録されていることを示す態様により店舗標示を表示させる店舗案内画像表示ステップとを実行させるためのものである。
【発明の効果】
【００１０】
以上説明したように、本発明によれば、地図情報と連携して配信される電子チラシを閲覧して購入しようとする商品を選んでいくにあたり、どの商品をどの店舗で購入する予定であったのかが容易に確認できるようになるという効果が得られる。
【図面の簡単な説明】
【００１１】
【図１】本実施形態に係る電子チラシ配信システムの構成例を示す図である。
【図２】本実施形態に係る端末装置に表示される店舗案内画像の表示態様例と、店舗標示に対する操作に応じた電子チラシのサムネイル画像の表示態様例を示す図である。
【図３】本実施形態に係る端末装置に対して行われる閲覧対象の電子チラシの登録操作例と、登録操作に応じた表示態様例を示す図である。
【図４】本実施形態に係る端末装置における、閲覧対象の電子チラシを閲覧するための操作に応じた表示態様例と、メモ情報を登録するための操作に応じた表示態様例とを示す図である。
【図５】本実施形態に係る端末装置において、電子チラシに掲載されている商品をメモ情報として登録するための操作が行われた際の表示態様例を示す図である。
【図６】本実施形態に係る端末装置において、店舗案内画像上での店舗の指定操作に応じて表示されるメモ内容リストの態様例を示す図である。
【図７】本実施形態に係る端末装置の構成例を示す図である。
【図８】本実施形態に係る配信状況情報の構造例を示す図である。
【図９】本実施形態に係るメモ管理情報の構造例を示す図である。
【図１０】本実施形態に係る端末装置が、操作に応じてメモ情報をメモ管理情報に登録するために実行する処理手順例を示すフローチャートである。
【図１１】本実施形態に係る端末装置が、店舗案内画像の表示のために実行する処理手順例を示すフローチャートである。
【図１２】本実施形態に係る端末装置が、メモ管理情報に登録されたメモ情報の有無に応じた店舗標示を行うために実行する処理手順例を示すフローチャートである。
【図１３】本実施形態に係る端末装置が、店舗標示に対する操作に応じてメモ内容リストを表示させるために実行する処理手順例を示すフローチャートである。
【発明を実施するための形態】
【００１２】
［電子チラシ配信システムの全体構成例］
図１は、本実施形態の電子チラシ配信システムの全体的な構成例を示している。本実施形態の電子チラシ配信システムは、電子チラシ配信サーバ１００、地図サーバ２００及び端末装置（電子チラシ閲覧装置）３００を備える。
電子チラシ配信サーバ１００、地図サーバ２００及び端末装置３００は、それぞれネットワーク４００と接続されている。これにより、電子チラシ配信サーバ１００と地図サーバ２００と端末装置３００は、ネットワーク４００を経由して相互に通信が可能である。
【００１３】
電子チラシ配信サーバ１００は、電子チラシを端末装置３００に配信する。電子チラシは、例えば、新聞の折り込みチラシなどのように紙媒体で配布されるチラシを電子化した広告情報である。
電子チラシ配信サーバ１００には、例えば広告元である各種の店舗やサービス業者などの電子チラシが入稿される。電子チラシの入稿にあたっては、例えば、広告元が所有する端末装置（図示は省略）から電子チラシ配信サーバ１００に対して電子チラシのデータが送信される。電子チラシ配信サーバ１００は、入稿された電子チラシのデータを記憶し、記憶した電子チラシのデータを端末装置３００に対して配信する。
【００１４】
また、本実施形態の電子チラシ配信サーバ１００は、配信状況情報を端末装置３００に送信する。配信状況情報は、店舗ごとの電子チラシの配信状況を示す情報であり、例えば電子チラシを配信(公開)中の配信元の店舗に関する店舗情報と、配信元の各店舗が配信中の電子チラシについての電子チラシ情報とを含む。配信状況情報は、端末装置３００における店舗案内画像の表示に利用される。
店舗案内画像は、地図画像上に店舗標示を配置した画像である。店舗標示は店舗の位置を示す標示（マーク、アイコンなど）である。
【００１５】
地図サーバ２００は、地図情報を記憶し、記憶した地図情報をネットワーク４００経由で端末装置３００に送信する。
【００１６】
端末装置３００は、ユーザが使用するネットワーク端末である。具体的に、端末装置３００は、パーソナルコンピュータ、携帯電話、スマートフォン、タブレット端末などである。
本実施形態の端末装置３００は、電子チラシ閲覧アプリケーション３１０がインストールされている。電子チラシ閲覧アプリケーション３１０は、電子チラシ配信サーバ１００から配信される電子チラシを閲覧するためのアプリケーションソフトウェアである。また、電子チラシ閲覧アプリケーション３１０は、地図サーバ２００から取得した地図情報と、電子チラシ配信サーバ１００から取得した配信状況情報とを利用して店舗案内画像を表示させることができる。
【００１７】
店舗案内画像は、前述のように、地図画像上に電子チラシを配信中の店舗を示す店舗標示が配置された画像である。また、ユーザは、端末装置３００の表示部に表示された店舗案内画像に対する操作によって、電子チラシの閲覧に関する各種の操作を行うことができる。このように、本実施形態の電子チラシ閲覧アプリケーション３１０は、電子チラシの閲覧にあたり、地図情報と連携した操作画面を提供することができる。
【００１８】
また、電子チラシ閲覧アプリケーション３１０が動作する端末装置３００は、例えば店舗案内画像をはじめとする操作画面に対して行われた電子チラシ閲覧指示の操作に応じて、指示された電子チラシの要求を電子チラシ配信サーバ１００に対して送信する。電子チラシの要求の受信に応じて、電子チラシ配信サーバ１００は、指定された電子チラシのデータを要求元の端末装置３００に送信する。電子チラシ閲覧アプリケーション３１０が動作する端末装置３００は、受信した電子チラシを、例えば表示により出力する。
【００１９】
［店舗案内画像例］
次に、図２〜図６を参照して、電子チラシの閲覧及びお買い物メモへの登録などのために端末装置３００に対してユーザが行う操作例と、端末装置３００に対して行われた操作に応じて表示される画像の態様例について説明する。
なお、以降の説明にあたり、端末装置３００の表示部３０４の画面はタッチパネルと組み合わされており、表示部３０４の画面に対して指やペンタブレットなどの操作体を触れることによる操作が可能である場合を例に挙げる。
【００２０】
端末装置３００上で電子チラシ閲覧アプリケーション３１０を動作させた状態において、例えばユーザが店舗案内画像の表示を指示する所定操作を行うのに応じて、端末装置３００の表示部３０４の画面には、図２（ａ）に示すような店舗案内画像が表示される。
【００２１】
図２（ａ）に示す店舗案内画像は、地図画像上に店舗標示ＭＫ１が配置されている。店舗標示ＭＫ１は、配置された位置により地図上での店舗の位置を示す。店舗標示ＭＫ１により示される店舗は、例えば、現在において電子チラシ配信サーバ１００により電子チラシを配信（公開）中の店舗を含んでいる。
【００２２】
店舗案内画像は、例えば画面に対してユーザが行うスライド操作などに応じて任意の方向にスクロールさせることができる。このような操作に応じて地図画像として表示される地域範囲が変更され、地域範囲の標示の変更に伴って店舗標示ＭＫ１により示される店舗も変更される。
なお、店舗案内画像の初期表示にあたって、地図画像の基準位置については、例えば自宅や勤務地などの予めユーザが登録した登録位置であればよい。あるいは、端末装置３００の測位機能などを利用して、端末装置３００の現在位置を基準位置としてもよい。また、初期表示の基準位置について、登録位置と端末装置３００の現在位置のうちのいずれかをユーザが操作によって選択できるようにしてもよい。
【００２３】
店舗案内画像においては、例えば電子チラシを配信中の店舗だけではなく、電子チラシを配信中でない店舗についても店舗標示ＭＫ１により示すようにしてよい。
この場合には、電子チラシを配信中の店舗を示す店舗標示ＭＫ１と、電子チラシを配信中でない店舗を示す店舗標示ＭＫ１とで、例えば、色、大きさ、絵柄などの態様を異なるようにすることが好ましい。これにより、ユーザが、電子チラシを配信中の店舗と配信中でない店舗とを視覚的に容易に区別できるようになる。
【００２４】
また、電子チラシは、例えば店舗の業種などに対応したカテゴリによって分類されている。そこで、電子チラシを配信中の店舗を示す店舗標示ＭＫ１については、電子チラシのカテゴリごとに応じて色を変更するなど、カテゴリに応じて態様を変更してもよい。
また、ユーザが行う所定操作に応じて、例えば、電子チラシを配信中でない店舗標示ＭＫ１の表示を消去して、電子チラシを配信中の店舗標示ＭＫ１のみを店舗案内画像上で表示されるようにしてもよい。また、カテゴリを指定する所定操作に応じて、指定されたカテゴリの電子チラシを配信中の店舗の店舗標示ＭＫ１のみが店舗案内画像上で表示されるようにしてもよい。
【００２５】
ユーザは、店舗案内画像において表示されている店舗標示ＭＫ１に対してタッチ操作を行うことができる。店舗標示ＭＫ１に対してタッチ操作が行われるのに応じて、店舗案内画像上では、図２（ｂ）に例示するように、サムネイル画像ＴＨＮ１、ＴＨＮ２が表示される。なお、以降において、例えばサムネイル画像を個々に区別する必要の無い場合には、サムネイル画像ＴＨＮと記載する。
サムネイル画像ＴＨＮは、タッチ操作が行われた店舗標示ＭＫ１に対応する店舗が配信中の電子チラシの縮小画像である。図２（ｂ）においては、サムネイル画像ＴＨＮとして、２つのサムネイル画像ＴＨＮ１、ＴＨＮ２が表示されている例が示されている。このように２つのサムネイル画像ＴＨＮ１、ＴＨＮ２が表示されている場合、対応の店舗は、現在において、サムネイル画像ＴＨＮ１、ＴＨＮ２が示す２つの電子チラシを配信中であることを示す。つまり、店舗標示に対するタッチ操作に応じて表示される電子チラシのサムネイル画像ＴＨＮは、店舗が配信中の電子チラシの一覧を示している。
ユーザは、サムネイル画像ＴＨＮを見ることで、タッチ操作を行った店舗標示ＭＫ１に対応する店舗が配信中の電子チラシの内容の概要を知ることができる。
なお、サムネイル画像ＴＨＮは、例えば、タッチ操作行われた店舗標示ＭＫ１を起点とする吹き出しなどの態様により表示されるようにしてもよい。
【００２６】
また、図２（ｂ）の画面の上側に示すように、表示部３０４の画面においては、サムネイル画像ＴＨＮが表示されるのに応じてチラシタイトル領域ＡＲ１が表示される。チラシタイトル領域ＡＲ１には、サムネイル画像ＴＨＮが示す電子チラシに付されたタイトルや電池チラシの入稿者が付したコメントなどの、電子チラシに関する簡易な情報が表示される。
【００２７】
図２の説明から理解されるように、ユーザは、店舗標示ＭＫ１に対してタッチ操作を行ってサムネイル画像ＴＨＮを表示させることができる。これにより、ユーザは、店舗ごとの電子チラシの内容を概略的に把握できる。
【００２８】
そのうえで、本実施形態において、ユーザは、サムネイル画像ＴＨＮの内容を見て興味を持った電子チラシについては閲覧対象として登録し、特に興味のない電子チラシについては閲覧対象外とするように選り分けを行うことができる。このように選り分けを行うことで、ユーザは、閲覧対象として登録した１以上の電子チラシを、後からまとめて閲覧することができる。以下、電子チラシの選り分けの操作例について説明する。
【００２９】
図２（ｂ）に示すように表示されたサムネイル画像ＴＨＮは、対応の店舗標示ＭＫ１に対するタッチ操作を解除した後においても、例えば、サムネイル画像ＴＨＮを消去するための操作（例えば、地図画像上をタッチする操作）が行われるまで、あるいは一定時間を経過するまで、消去されることなく継続して表示される。
このようにサムネイル画像ＴＨＮの表示が継続されている状態においては、例えば、図３（ａ）の画面の右側に示すようにチェックエリアＡＲ２が表示される。チェックエリアＡＲ２は、ユーザが閲覧対象として登録した電子チラシのサムネイル画像ＴＨＮが格納される領域である。
ユーザは、例えばサムネイル画像ＴＨＮの内容を見て、後から対応の電子チラシを閲覧したいと思ったのであれば、対応の電子チラシを閲覧対象に登録する操作を行う。閲覧対象への登録操作は、閲覧対象とすべき電子チラシのサムネイル画像ＴＨＮをチェックエリアＡＲ２に移動させる操作である。この操作は、具体的に、表示部３０４の画面上で、電子チラシのサムネイル画像ＴＨＮ上にタッチさせた指をチェックエリアＡＲ２の方向に素早く移動させるフリック操作であればよい。
【００３０】
サムネイル画像ＴＨＮをチェックエリアＡＲ２に移動させる操作に応じて、操作対象とされたサムネイル画像ＴＨＮは、チェックエリアＡＲ２においても格納された状態で表示されるようになる。チェックエリアＡＲ２に格納されているサムネイル画像は、対応の電子チラシが閲覧対象として登録されていることを示す。
そして、ユーザは、他の店舗についても同様に、店舗標示ＭＫ１をタッチしてサムネイル画像ＴＨＮを表示させ、サムネイル画像ＴＨＮが示す内容に興味を持ったのであれば、上記と同様にサムネイル画像ＴＨＮをチェックエリアＡＲ２に移動させる操作を行えばよい。これにより、ユーザは、サムネイル画像ＴＨＮをチェックエリアＡＲ２に格納させていくようにして、順次、閲覧対象の電子チラシを登録していくことができる。
【００３１】
そして、複数の電子チラシが閲覧対象として登録された場合には、チェックエリアＡＲ２において、例えばユーザが登録した順にしたがって上から下方向にかけて順次配列されていくように格納される。
具体例として図３（ｂ）には、チェックエリアＡＲ２において上から順に、３つのサムネイル画像ＴＨＮ２、ＴＨＮ１１、ＴＨＮ１２が配列された状態が示されている。この状態は、サムネイル画像ＴＨＮ２、ＴＨＮ１１、ＴＨＮ１２に対応する電子チラシの順で閲覧対象に登録されたことを示している。
【００３２】
また、図３（ｂ）のようにチェックエリアＡＲ２にサムネイル画像ＴＨＮが格納されている状態において、ユーザは、チェックエリアＡＲ２に格納されているサムネイル画像ＴＨＮから１つを選択してタッチ操作を行うことができる。
チェックエリアＡＲ２内のサムネイル画像ＴＨＮに対するタッチ操作に応じては、例えば図３（ｂ）に示すように、タッチ操作が行われたサムネイル画像ＴＨＮに対応する電子チラシ配信元の店舗の店舗標示ＭＫ１を起点とする吹き出しＦＤが表示される。吹き出しＦＤにおいては、対応の店舗の店名などをはじめとする店舗に関する所定の情報が示される。
このように吹き出しＦＤが表示されることにより、ユーザは、チェックエリアＡＲ２に格納したサムネイル画像ＴＨＮに対応する電子チラシの配信元の店舗をその位置とともに確認することができる。
【００３３】
また、図３（ｂ）の店舗案内画像においては、例えば左下において閲覧指示ボタンＢＴ１が配置されている。閲覧指示ボタンＢＴ１に対する操作が行われるのに応じて、端末装置３００は、閲覧指示ボタンＢＴ１に対する操作が行われたときにチェックエリアＡＲ２に格納されていたサムネイル画像ＴＨＮが対応する電子チラシの画像を表示部３０４の画面に表示させる。なお、閲覧指示ボタンＢＴ１に対する操作に応じて表示部３０４の画面に表示される電子チラシの態様例については後述する。
【００３４】
このように、本実施形態においては、地図画像上の店舗標示に対してタッチ操作を行うことで、店舗が配信する電子チラシのおおよその内容をサムネイル画像ＴＨＮによって確認し、自分にとって興味があるかどうかを判断できる。そして、興味を持った場合には、サムネイル画像ＴＨＮをチェックエリアＡＲ２に移動させるという操作によって、閲覧対象の電子チラシとして登録することができる。
つまり、本実施形態では、電子チラシの内容を確認したうえで、閲覧対象の電子チラシと閲覧対象外の電子チラシとの選り分けを行うことができる。これにより、例えば、ユーザは、普段は興味の無いようなカテゴリの電子チラシなどについても選り分け前の段階で内容を確認する機会が得られ、内容に興味が有れば閲覧対照に登録できる。このように、本実施形態では、地図情報と連携して配信される電子チラシの選り分けにあたり、ユーザが選り分け対象の電子チラシの内容を確認することになるため、チラシとしての効用が十分に発揮される。
【００３５】
そして、本実施形態において、閲覧対象として登録した電子チラシは例えば以下のような操作によって閲覧することができる。
図４（ａ）には、図３（ｂ）と同じ内容によるチェックエリアＡＲ２が表示された店舗案内画像が示されている。図４（ａ）のチェックエリアＡＲ２に配置されているサムネイル画像ＴＨＮに対応する電子チラシを閲覧しようとする場合、ユーザは、図４（ａ）の店舗案内画像に配置されている閲覧指示ボタンＢＴ１に対するタッチ操作を行う。
【００３６】
閲覧指示ボタンＢＴ１に対するタッチ操作に応じて、表示部３０４の画面には、図４（ｂ）に示すように、例えば１つの電子チラシに対応するチラシ画像Ｐが表示される。なお、図４（ｂ）の例では、店舗案内画像上に重畳されるようにチラシ画像Ｐが表示される態様を示しているが、例えば、店舗案内画像が消去されたうえで、チラシ画像Ｐが表示される態様であってもよい。
このように表示されたチラシ画像Ｐは、例えば、画面に対するピンチアウト、ピンチインなどの操作に応じて拡大及び縮小が可能である。また、拡大されたことによって電子チラシの画像が画面に収まりきらない状態となった場合には、スライド操作によって電子チラシの画像を移動させることが可能である。ユーザは、チラシ画像Ｐの拡大、縮小を行いながら、チラシ画像Ｐにおいて示されている広告内容の細部までを確認することができる。
【００３７】
また、図４（ａ）におけるチェックエリアＡＲ２における上から下にかけてのサムネイル画像ＴＨＮの配列順、つまり、閲覧対象への登録順は、例えば、チラシ画像Ｐとして表示させる際の表示順に対応する。
具体的に、図４（ａ）における閲覧指示ボタンＢＴ１に対するタッチ操作を行うことによっては、サムネイル画像ＴＨＮ２に対応する電子チラシの画像が最初に表示される。そして、サムネイル画像ＴＨＮ２に対応するチラシ画像Ｐが表示されている状態のもとで次のチラシを表示させる操作が行われるのに応じて、表示部３０４の画面はサムネイル画像ＴＨＮ１１に対応するチラシ画像Ｐの表示に切り換わる。また、サムネイル画像ＴＨＮ１１に対応するチラシ画像Ｐが表示されている状態において、さらに次のチラシの表示に切り換える操作が行われると、サムネイル画像ＴＨＮ１２に対応するチラシ画像Ｐの表示に切り換わる。
また、サムネイル画像ＴＨＮ１２に対応するチラシ画像Ｐが表示されている状態において、前のチラシの表示に戻す操作が行われると、サムネイル画像ＴＨＮ１１に対応するチラシ画像Ｐの表示に切り換わる。
【００３８】
本実施形態の電子チラシ閲覧アプリケーション３１０は、電子チラシの閲覧機能に加えて、メモ機能を有する。本実施形態におけるメモ機能は、例えばユーザが電子チラシを閲覧して購入したいと思った商品などをメモしたメモ内容を店舗と対応付けて登録し、登録されたメモ内容を対応の店舗とともに提示することのできる機能である。
【００３９】
本実施形態のメモ機能に対応して、図４（ｂ）に示すように、チラシ画像Ｐが表示される画面においては、メモ登録ボタンＢＴ２が表示される。
メモ登録ボタンＢＴ２は、ユーザがチラシ画像Ｐを閲覧した結果、メモを残しておきたいと思った場合に操作するボタンである。
【００４０】
図４（ｂ）の表示が行われている状態において、ユーザがメモ登録ボタンＢＴ２に対するタッチ操作を行うと、表示部３０４の画面は、例えば図４（ｃ）に示すように、メモ登録画面に遷移する。
図４（ｃ）のメモ登録画面においては、メモ内容入力ボックスＢＸと、「保存」ボタンＢＴ３と「戻る」ボタンＢＴ４が配置されている。
メモ内容入力ボックスＢＸは、ユーザが文字入力操作を行うことによって、メモ内容としての任意の文字列が入力される領域である。ユーザは、例えば、メモ内容入力ボックスＢＸに対して、図４（ｂ）のチラシ画像Ｐを閲覧した結果、チラシ画像Ｐとしての電子チラシの配信元の店舗での購入を予定した商品の名称などをメモ内容として入力することができる。
【００４１】
そして、ユーザは、メモ内容入力ボックスＢＸにメモ内容を入力したメモ内容をメモ情報として登録しようとする場合には、同じメモ登録画面における「保存」ボタンＢＴ３に対するタッチ操作を行うようにする。
「保存」ボタンＢＴ３に対するタッチ操作に応じて、端末装置３００は、メモ内容入力ボックスＢＸに入力された文字列を、図４（ｂ）のチラシ画像Ｐとしての電子チラシの配信元の店舗と対応付けたメモ情報を生成する。そして、端末装置３００は、生成したメモ情報を、メモ管理情報に登録する。メモ管理情報は、１以上のメモ管理情報を含む情報である。
また、「保存」ボタンＢＴ３が操作された場合、表示部３０４は、例えば図４（ｂ）の表示状態に戻ればよい。
【００４２】
一方、図４（ｃ）のメモ登録画面における「戻る」ボタンＢＴ４に対する操作が行われた場合、端末装置３００は、例えばメモ管理情報へのメモ情報の登録を行うことなく、図４（ｂ）の表示状態に戻る。
【００４３】
次に、図５を参照して、メモ情報の登録のための他の操作例について説明する。
図５（ａ）には、表示部３０４の画面に対して、図４（ｂ）とは異なる他の電子チラシに対応するチラシ画像Ｐが表示されている。
図５（ａ）において表示されているチラシ画像Ｐとしての電子チラシには、例えば商品Ａ、Ｂ、Ｃ、Ｄ、Ｅの５つの商品が掲載されている。
ここで、ユーザが図５（ａ）のチラシ画像Ｐを閲覧して、商品Ａ、Ｂ、Ｃ、Ｄ、Ｅのうちから商品Ｄを購入予定の商品として選んだのであれば、ユーザは、図５（ａ）のチラシ画像Ｐ上における商品Ｄを指定する操作を行う。このように商品を指定する操作は、例えば商品Ｄが掲載されている画像部分に対する長押しによるタッチ操作などであればよい。
【００４４】
上記のように図５（ａ）のチラシ画像Ｐ上における商品Ｄを指定する操作が行われるのに応じて、例えば図５（ｂ）に示すように、チラシ画像Ｐ上にダイアログボックスＤＬＧが表示される。
ダイアログボックスＤＬＧにおいては、指定された商品をメモ情報としてメモ管理情報に登録する意志の有無をユーザに確認する旨のメッセージが表示されている。ここで、本実施形態のメモ機能は、ユーザに対しては、例えば「お買い物メモ」という名称の機能として提供されている。これに応じて、ダイアログボックスＤＬＧにおいては、例えば「お買い物メモに登録しますか？」というメッセージが表示されている。
また、ダイアログボックスＤＬＧにおいては、上記のメッセージとともに、ユーザが自分の意志に応じた動作を指示するための操作を行うための、「はい」ボタンＢＴ５、「いいえ」ボタンＢＴ６が表示される。
【００４５】
ユーザは、商品Ｄをメモ管理情報に登録する意志があれば、ダイアログボックスＤＬＧにおける「はい」ボタンＢＴ５に対するタッチ操作を行えばよい。「はい」ボタンＢＴ５に対するタッチ操作が行われるのに応じて、端末装置３００は、商品Ｄに関する情報を、図５（ａ）のチラシ画像Ｐとしての電子チラシの配信元の店舗と対応付けたメモ情報を生成する。端末装置３００は、生成したメモ情報を、メモ管理情報に登録する。また、このように「保存」ボタンＢＴ３が操作された場合、表示部３０４の画面からダイアログボックスＤＬＧが消去され、例えば図５（ａ）の表示状態に戻る。
【００４６】
一方、ダイアログボックスＤＬＧにおける「いいえ」ボタンＢＴ６に対するタッチ操作が行われた場合、端末装置３００は、例えばメモ管理情報へのメモ情報の登録を行うことなく、図５（ａ）の表示状態に戻る。
【００４７】
また、図５（ｃ）を参照して、図５（ｂ）とは異なる他のメモ管理情報への登録操作について説明する。
図５（ｃ）に示す例との対応では、電子チラシ閲覧アプリケーション３１０は、チラシ画像Ｐ上の画面に対して指などの操作体を触れて移動させる操作軌跡に対応させて線画を表示することができる。そのうえで、電子チラシ閲覧アプリケーション３１０は、チラシ画像Ｐ上で線画が描かれた領域において掲載されている商品に関連する情報をメモ情報としてメモ管理情報に登録することができる。
【００４８】
具体的に、ユーザは、チラシ画像Ｐ上で、購入予定の商品が掲載されている画像部分に何らかの描画をする。この操作に応じて、端末装置３００は、描画された領域において表示されている商品に関連する情報を、チラシ画像Ｐに対応する電子チラシの配信元の店舗と対応付けたメモ情報を生成し、メモ管理情報に登録する。
図５（ｃ）においては、チラシ画像Ｐに表示されている商品のうち、商品Ｂの画像部分に対して描画する操作を行った例が示されている。このように描画の操作が行われた場合、端末装置３００は、商品Ｂに関連する情報をチラシ画像Ｐに対応する電子チラシの配信元の店舗と対応付けたメモ情報を生成し、メモ管理情報に登録する。
【００４９】
なお、図４（ｂ）、図４（ｃ）により説明したメモ管理情報への登録に関しては、特にチラシ画像Ｐそのものに対する操作は行われない。このため、図４（ｂ）、図４（ｃ）のチラシ画像Ｐを出力するための電子チラシのデータは、例えば静止画としての画像データであればよい。
【００５０】
一方、図５（ａ）、図５（ｂ）、図５（ｃ）により説明したメモ管理情報への登録操作の場合には、チラシ画像Ｐに対する操作に応じて購入予定の商品がメモ内容とされたメモ情報がメモ管理情報に登録される。つまり、図５（ａ）、図５（ｂ）、図５（ｃ）の場合には、チラシ画像Ｐそのものに対する操作に応答してメモ管理情報へのメモ情報の登録が実行される。
この場合、チラシ画像Ｐを出力するための電子チラシのデータとしては、例えば、チラシ画像Ｐの画像データと、画像データに付加されるメタデータとを含むような構造とすることができる。
具体的に、メタデータには、電子チラシの画像データにおいて商品が掲載されている領域の座標と商品情報（商品名など）とを対応付けた情報を含めることができる。
【００５１】
そのうえで、端末装置３００上で動作する電子チラシ閲覧アプリケーション３１０は、チラシ画像Ｐ上の領域に対して図５（ａ）に示したようにタッチ操作が行われるのに応じて、例えば図５（ｂ）に示したダイアログボックスＤＬＧを表示させる。電子チラシ閲覧アプリケーション３１０は、「はい」ボタンＢＴ５に対する操作が行われるのに応じて、タッチ操作が行われたチラシ画像Ｐ上の領域の座標に対応する商品情報をメタデータから取得する。図５（ａ）、図５（ｂ）に示す例との対応では、電子チラシ閲覧アプリケーション３１０は、商品Ｄの商品情報をメタデータから取得する。そして、電子チラシ閲覧アプリケーション３１０は、取得した商品情報をメモ内容として電子チラシの配信元の店舗の店舗ＩＤと対応付けたメモ情報を生成し、メモ管理情報に登録するようにすればよい。
【００５２】
また、図５（ｃ）の例との対応では、電子チラシ閲覧アプリケーション３１０は、チラシ画像Ｐ上に対して行われた描画の操作の軌跡に応じて線画が表示されるように制御する。これとともに、電子チラシ閲覧アプリケーション３１０は、描画の操作が行われた座標に対応する商品情報をメタデータから取得し、取得した商品情報をメモ内容として電子チラシの配信元の店舗の店舗ＩＤと対応付けたメモ情報を生成し、メモ管理情報に登録すればよい。
【００５３】
あるいは、図５（ａ）と図５（ｂ）、または、図５（ｃ）により説明したメモ情報の登録操作に対応する電子チラシのデータとして、画像データと、チラシ画像Ｐに対する操作に応じてメモ情報をメモ管理情報に登録する処理を電子チラシ閲覧アプリケーション３１０上で実行するプログラムを含む構造としてもよい。
【００５４】
図６（ａ）は、図４または図５により説明したメモ情報の登録操作を行った後に、店舗案内画像の表示に戻した場合の表示態様例を示している。
図６（ａ）の店舗案内画像は、図２（ｂ）にてタッチ操作を行った店舗標示ＭＫ１により示される店舗が配信する電子チラシのチラシ画像Ｐを表示させたうえで、このチラシ画像Ｐに関連した操作によってユーザがメモ情報を登録した場合に対応している。
【００５５】
図６（ａ）の店舗案内画像においては、図２（ｂ）にてタッチ操作が行われていた店舗標示ＭＫ１が、店舗標示ＭＫ１とは異なる態様の店舗標示ＭＫ２に変更されている。
店舗標示ＭＫ２は、対応の店舗について、当該店舗に対応付けられたメモ内容を有するメモ情報がメモ管理情報に登録されていることを示す。一方、標準の態様である店舗標示ＭＫ１は、対応の店舗について、当該店舗に対応付けられたメモ内容を有するメモ情報はメモ管理情報に登録されていないことを示す。
なお、図６（ａ）の店舗案内画像上では、店舗標示ＭＫ２は１つのみが配置されているが、複数の異なる店舗のそれぞれに対応してメモ情報が登録されていれば、これらの店舗ごとに対応して店舗標示ＭＫ２が配置される。
【００５６】
このように、本実施形態においては、ユーザが閲覧した電子チラシに対応してメモ情報を登録した店舗の店舗標示については、店舗案内画像上でその旨を示すように態様が変更される。これにより、ユーザは、どの店舗についてメモ情報を登録したのかを店舗案内画像上で把握することができる。
【００５７】
また、店舗標示ＭＫ２に対してタッチ操作を行った場合には、図６（ｂ）に示すように、メモ内容リスト画像ＬＳＴが表示される。メモ内容リスト画像ＬＳＴにおいては、タッチ操作が行われている店舗標示ＭＫ２が示す店舗に対応付けてユーザが登録したメモ情報において示されるメモ内容のリストが示される。
【００５８】
ユーザは、店舗標示ＭＫ２に対してタッチ操作を行ってメモ内容リスト画像ＬＳＴを見ることで、店舗標示ＭＫ２が示している店舗で自分がどの商品を購入する予定であったのかを容易に確認できる。
例えば、買い物の際にどの店舗で何を購入するのかを書いた手書きのメモを持ち歩き、店舗に赴いた際に何を購入すればよいのか確認するということがしばしば行われる。
本実施形態におけるメモ情報のメモ管理情報への登録操作と、メモ内容リスト画像ＬＳＴの表示は、このような買い物に際してのメモ機能として有効に利用できる。
特に、本実施形態の場合には、店舗の位置が地図画像上で示される。このため、例えば普段は買い物に利用しないような地域において店舗の場所がよく分からないような状況で買い物をすることになったような場合でも、ユーザは、目的の店舗の位置とその店舗で購入する予定の商品とを同じ地図画像上で確認できる。
【００５９】
なお、店舗標示ＭＫ２の表示態様は、店舗標示ＭＫ１と視覚的に区別が可能であればよく、特に限定されない。例えば、店舗標示ＭＫ２は、店舗標示ＭＫ１と形状が異なっていてもよいし、色が異なっていてもよい。
【００６０】
［端末装置の構成例］
図７は、本実施形態に係る端末装置３００の構成例を示している。図７の端末装置３００は、通信部３０１、制御部３０２、記憶部３０３、表示部３０４及び操作部３０５を備える。
【００６１】
通信部３０１は、ネットワーク４００を経由して電子チラシ配信サーバ１００、地図サーバ２００と通信を実行する。
【００６２】
制御部３０２は、電子チラシの閲覧に対応する各種の制御、処理を実行する。制御部３０２は、例えば端末装置３００が備えるＣＰＵ（Central Processing Unit）に電子チラシ閲覧アプリケーション３１０のプログラムを実行させることにより実現される機能部である。
制御部３０２は、地図情報取得部３２１、配信状況情報取得部３２２、店舗案内画像表示部３２３、チラシサムネイル表示部３２４、閲覧対象チラシ管理部３２５、電子チラシ出力部３２６及びメモ管理部３２７を備える。
【００６３】
地図情報取得部３２１は、地図サーバ２００から地図情報を取得する。
地図情報取得部３２１は、地図情報の取得にあたり基準位置の情報を含む地図情報要求を通信部３０１からネットワーク４００経由で地図サーバ２００に送信する。地図サーバ２００は、地図情報要求の受信に応じて、地図情報要求に含まれていた基準位置の情報が示す位置を基準とする一定範囲内の地図情報を端末装置３００に送信する。このように送信された地図情報が端末装置３００にて受信されることで、地図情報取得部３２１は地図情報を取得することができる。
【００６４】
配信状況情報取得部３２２は、配信状況情報を取得する。配信状況情報取得部３２２は、配信状況情報の取得にあたり、配信状況情報要求を通信部３０１からネットワーク４００経由で電子チラシ配信サーバ１００に送信する。電子チラシ配信サーバ１００は、配信状況情報要求の受信に応答して、現在の各店舗の電子チラシの配信状況を示す配信状況情報を端末装置３００に送信する。このように送信された配信状況情報が端末装置３００にて受信されることで、配信状況情報取得部３２２は地図情報を取得することができる。
【００６５】
なお、配信状況情報取得部３２２は、配信状況情報要求に対して、地図情報要求に含まれているのと同じ基準位置の情報を含めて送信してもよい。配信状況情報要求に基準位置の情報を含めた場合、電子チラシ配信サーバ１００は、基準位置の情報が示す位置を基準とする一定範囲内に位置する店舗の配信状況情報を送信する。
【００６６】
ここで、図８を参照して配信状況情報の構造例について説明する。図８に示す配信状況情報は、店舗ごとに対応して、店舗ＩＤと店舗位置情報と電子チラシ情報とを格納した構造である。
店舗ＩＤは、対応の店舗を一意に識別するように付与される識別子である。
店舗位置情報は、対応の店舗の位置を示す情報である。店舗位置情報は、例えば、地図情報が緯度及び経度により位置を示すのに対応して、店舗の位置を緯度及び経度により示す。なお、例えば地図情報が住所によって位置を示している場合には、店舗位置情報が住所を示すようにしてもよい。
【００６７】
電子チラシ情報は、対応の店舗が配信（公開）中の電子チラシに関連する情報である。電子チラシ情報は、対応の店舗が配信中の電子チラシごとに、電子チラシＩＤ、配信期間、サムネイルＵＲＩ、電子チラシデータＵＲＩ、チラシメタデータを格納する。
電子チラシＩＤは、対応の電子チラシを一意に識別するように付加される識別子である。
配信期間は、対応の電子チラシの配信期間（例えば、配信開始日時と配信終了日時）を示す。
サムネイルＵＲＩ（Uniform Resource Identifier）は、対応の電子チラシのサムネイル画像のデータのネットワーク上での場所を示す。サムネイルＵＲＩにアクセスして取得されたサムネイル画像のデータは、例えば図２（ｂ）などに示したように表示されるサムネイル画像ＴＨＮとして利用される。
電子チラシデータＵＲＩは、対応の電子チラシのデータのネットワーク上での場所を示す。電子チラシデータＵＲＩにアクセスして取得された電子チラシのデータは、例えば図４（ｂ）に示したように表示されるチラシ画像Ｐとして利用される。
チラシメタデータは、対応の電子チラシに関連する各種のメタデータを格納する。チラシメタデータとして格納されるメタデータは、例えば、電子チラシのカテゴリを示すカテゴリ情報、電子チラシのタイトルなどを示すタイトル情報などである。タイトル情報は、例えば、チラシタイトル領域ＡＲ１の表示などに利用される。
【００６８】
説明を図７に戻す。
店舗案内画像表示部３２３は、地図情報取得部３２１が取得した地図情報と、配信状況情報取得部３２２が取得した配信状況情報とを利用して、図２（ａ）などに例示した店舗案内画像を表示させる。
また、店舗案内画像表示部３２３は、店舗案内画像の表示にあたり、メモ管理情報にメモ情報が登録されている店舗については、メモ情報が登録されていることを示す態様により店舗標示を表示させる。このように表示される店舗表示は、図６（ａ）に例示した店舗標示ＭＫ２である。
さらに、店舗案内画像表示部３２３は、メモ情報が登録されていることを示す態様により表示された店舗標示ＭＫ２を指定する操作に応じて、指定された店舗標示ＭＫ２が示す店舗に対応付けられてメモ管理情報に登録されているメモ情報の内容を表示する。つまり、店舗案内画像表示部３２３は、図６（ｂ）に例示したように、店舗標示ＭＫ２を指定する操作として、店舗標示ＭＫ２に対するタッチ操作が行われるのに応じて、メモ内容リスト画像ＬＳＴを表示させる。
【００６９】
チラシサムネイル表示部３２４は、操作によって選択された店舗標示が示す店舗が配信している電子チラシのサムネイル画像を表示する。つまり、チラシサムネイル表示部３２４は、図２（ｂ）または図４（ｂ）に例示したように、店舗標示ＭＫ１、ＭＫ２に対してタッチ操作が行われるのに応じて、サムネイル画像ＴＨＮを表示する。
具体的に、チラシサムネイル表示部３２４は、タッチ操作が行われた店舗標示ＭＫ１、ＭＫ２に対応する店舗の店舗ＩＤに対応付けられている電子チラシごとのサムネイルＵＲＩを取得する。チラシサムネイル表示部３２４は、取得したサムネイルＵＲＩごとのサムネイル画像のデータを取得し、取得したサムネイル画像のデータをサムネイル画像ＴＨＮとして店舗案内画像上に表示させる。
【００７０】
閲覧対象チラシ管理部３２５は、閲覧対象のチラシを管理する。閲覧対象チラシ管理部３２５は、閲覧対象のチラシを管理するにあたり、閲覧対象チラシリストを利用する。
閲覧対象チラシリストは、図３（ｂ）などに示したチェックエリアＡＲ２に格納されたサムネイル画像ＴＨＮに対応する電子チラシのリストである。つまり、閲覧対象チラシリストは、閲覧対象として登録された電子チラシのリストである。
具体的に、閲覧対象チラシリストは、閲覧対象として登録された電子チラシの電子チラシＩＤを格納する。閲覧対象チラシリストにおける電子チラシＩＤは、例えば登録順が示されるように登録される。閲覧対象チラシリストは、記憶部３０３の閲覧対象チラシリスト記憶部３３１に記憶される。
【００７１】
また、閲覧対象チラシ管理部３２５は、チラシサムネイル表示部３２４によって表示されたサムネイル画像ＴＨＮのうちから指定されたサムネイル画像に対応する電子チラシを閲覧対象に登録する。
具体的に、閲覧対象チラシ管理部３２５は、図３（ａ）にして説明したように、地図画像上のサムネイル画像ＴＨＮをチェックエリアＡＲ２に移動させる操作に応じて、移動されたサムネイル画像ＴＨＮに対応する電子チラシＩＤを配信状況情報の電子チラシ情報から取得する。閲覧対象チラシ管理部３２５は、取得した電子チラシＩＤを、例えば閲覧対象チラシリストにおける最後の登録順に対応させて登録する。これにより、閲覧対象の電子チラシが新規に登録される。
【００７２】
また、閲覧対象チラシ管理部３２５は、閲覧対象チラシリストを利用して、図３などに示すように、チェックエリアＡＲ２における表示内容を制御する。つまり、閲覧対象チラシ管理部３２５は、閲覧対象チラシリストが示す電子チラシＩＤに対応付けられたサムネイルＵＲＩを配信状況情報から取得する。閲覧対象チラシ管理部３２５は、取得したサムネイルＵＲＩにアクセスしてサムネイル画像のデータを取得し、取得したサムネイル画像のデータを利用してサムネイル画像を生成する。閲覧対象チラシ管理部３２５は、閲覧対象チラシリストが示す登録順にしたがって、生成したサムネイル画像をチェックエリアＡＲ２に配列させる。
【００７３】
電子チラシ出力部３２６は、電子チラシがユーザによって閲覧されるように出力する。具体的に、電子チラシ出力部３２６は、例えば図４（ａ）にて説明したように、閲覧指示ボタンＢＴ１に対する操作が行われるのに応じて、閲覧対象チラシリストが示す電子チラシＩＤに対応付けられている電子チラシデータＵＲＩを配信状況情報から取得する。電子チラシ出力部３２６は、取得した電子チラシデータＵＲＩのそれぞれから電子チラシのデータを取得する。電子チラシ出力部３２６は、図４（ｂ）に示したように、取得した電子チラシのデータのうちで、表示対象である１つの電子チラシのデータを表示部３０４に表示させる。
【００７４】
メモ管理部３２７は、メモ管理情報を管理する。つまり、メモ管理部３２７は、電子チラシ出力部３２６によって出力された閲覧対象の電子チラシに関連づけられた操作に応じて入力されるメモ内容と閲覧対象の電子チラシの配信元の店舗とを対応付けたメモ情報をメモ管理情報に登録する。ここで、電子チラシ出力部３２６によって出力された閲覧対象の電子チラシに関連付けられた操作の一例は、図４（ｂ）に示したようにチラシ画像Ｐとともに表示されているメモ登録ボタンＢＴ２に対する操作である。また、電子チラシ出力部３２６によって出力された閲覧対象の電子チラシに関連付けられた操作の一例は、図５（ｂ）に示したチラシ画像Ｐ上に対するタッチ操作や、図５（ｃ）に示したチラシ画像Ｐ上で描画する操作である。
【００７５】
メモ管理情報は、メモ管理情報は記憶部３０３におけるメモ管理情報記憶部３３２が記憶する。
図９は、メモ管理情報記憶部３３２が記憶するメモ管理情報の構造例を示している。図９に示すメモ管理情報における１レコード（１行）が１つのメモ情報に対応する。１つのメモ情報は、店舗ＩＤ、電子チラシＩＤ及びメモ内容を含む。
店舗ＩＤは、対応の店舗に付与された識別子である。
電子チラシＩＤは、メモ内容を入力する操作に関連付けられた電子チラシに付与された識別子である。
【００７６】
メモ内容は、ユーザにより入力されたメモの内容を示すデータである。
例えば図４（ｃ）に示すようにメモ内容入力ボックスＢＸに対して文字を入力する操作によりメモ情報が登録された場合、メモ内容には、メモ内容入力ボックスＢＸに入力された文字のデータが格納される。
また、図５（ｂ）、図５（ｃ）に示すようにチラシ画像Ｐに対するタッチ操作や描画の操作によってメモ情報が登録された場合、メモ内容には、チラシ画像Ｐに対するタッチ操作や描画の操作に応じてメタデータから取得された商品情報が格納される。
【００７７】
記憶部３０３は、制御部３０２が利用する各種の情報を記憶する。図７に示す記憶部３０３は、閲覧対象チラシリスト記憶部３３１とメモ管理情報記憶部３３２を備える。
閲覧対象チラシリスト記憶部３３１は閲覧対象チラシリストを記憶する。
メモ管理情報記憶部３３２はメモ管理情報を記憶する。
【００７８】
表示部３０４は、制御部３０２の制御に応じて画像を表示する。これまでの説明から理解されるように、表示部３０４は、制御部３０２の制御に応じて、図２〜図６に示した店舗案内画像やチラシ画像Ｐなどの画像を表示することができる。
【００７９】
操作部３０５は、端末装置３００に対する操作を受け付ける。本実施形態の操作部３０５は、例えば表示部３０４と一体となるように備えられたタッチパネルを含む。タッチパネルを備えることにより、表示部３０４の画面に指などの操作体を触れることによる操作が可能となる。
【００８０】
［処理手順例］
図１０のフローチャートは、端末装置３００がユーザの操作に応じてメモ情報をメモ管理情報に登録するための処理手順例を示している。
端末装置３００において、電子チラシ出力部３２６は、電子チラシの閲覧を指示する操作が操作部３０５に対して行われるのに応じて、チラシ画像Ｐを表示させる（ステップＳ１０１）。電子チラシの閲覧を指示する操作は、例えば図４（ａ）にて説明したように閲覧指示ボタンＢＴ１に対する操作、もしくは、図４（ｂ）にて説明したように１つのチラシ画像Ｐが表示されている状態において、他の電子チラシのチラシ画像Ｐの表示に移行させる操作である。
【００８１】
チラシ画像Ｐが表示されている状態において、メモ管理部３２７は、メモ情報をメモ管理情報に登録する操作（メモ登録操作）が行われたか否かについて判定する（ステップＳ１０２）。
ここでのメモ登録操作は、具体的には、図４（ｂ）、図４（ｃ）にて説明したように、メモ内容入力ボックスＢＸを表示させてメモ内容としての文字列を入力する操作である。または、メモ登録操作は、図５（ｂ）、図５（ｃ）に示したようにチラシ画像Ｐ上に対するタッチ操作または描画操作により商品を指定してメモ情報に登録する操作である。
【００８２】
メモ登録操作が行われない場合（ステップＳ１０２−ＮＯ）、電子チラシ出力部３２６は、チラシ画像Ｐの消去を指示する操作が行われたか否かについて判定する（ステップＳ１０６）。チラシ画像Ｐの消去を指示する操作が行われていなければ（ステップＳ１０６−ＮＯ）、電子チラシ出力部３２６は、ステップＳ１０２に処理を戻す。
このように、チラシ画像Ｐが表示されている状態において、メモ管理部３２７はメモ登録操作が行われるのを待機し、電子チラシ出力部３２６は、チラシ画像Ｐの消去を指示する操作が行われるのを待機している。
【００８３】
そして、メモ登録操作が行われるのに応じて（ステップＳ１０２−ＹＥＳ）、メモ管理部３２７はメモ内容を生成する（ステップＳ１０３）。
具体的に、メモ登録操作として、図４（ｂ）、図４（ｃ）にて説明したようにメモ内容入力ボックスＢＸを表示させてメモ内容としての文字列を入力する操作が行われた場合、メモ管理部３２７は、メモ内容入力ボックスＢＸに入力された文字列のデータを利用してメモ内容を生成すればよい。
また、メモ登録操作として、図５（ｂ）、図５（ｃ）にて説明したようにチラシ画像Ｐに対するタッチ操作または描画操作が行われた場合、メモ管理部３２７は、以下のようにメモ内容を生成すればよい。つまり、メモ管理部３２７は、チラシ画像Ｐに対応する電子チラシのデータに含まれるメタデータから、タッチ操作または描画操作が行われたチラシ画像Ｐ上の領域の座標に対応付けられた商品情報を取得する。メモ管理部３２７は、取得した商品情報を利用してメモ内容を生成する。
【００８４】
次に、メモ管理部３２７は、ステップＳ１０３により生成したメモ内容を、店舗ＩＤ及び電子チラシＩＤと対応付けてメモ情報を生成する（ステップＳ１０４）。
メモ情報の生成にあたり、メモ管理部３２７は、ステップＳ１０１にて表示されたチラシ画像Ｐに対応する電子チラシの電子チラシＩＤを配信状況情報から取得する。また、メモ管理部３２７は、取得した電子チラシＩＤを含む電子チラシ情報に対応付けられている店舗ＩＤを配信状況情報から取得する。メモ管理部３２７は、このように取得した店舗ＩＤと電子チラシＩＤをステップＳ１０３により生成したメモ内容と対応付けることによってメモ情報を生成する。
【００８５】
次に、メモ管理部３２７は、ステップＳ１０４により生成したメモ情報を、メモ管理情報記憶部３３２が記憶するメモ管理情報に登録する（ステップＳ１０５）。
【００８６】
ステップＳ１０５によるメモ管理情報へのメモ情報の登録が完了した後、また、メモ登録操作を待機している状態において（ステップＳ１０２−ＮＯ）、電子チラシ出力部３２６は、前述のように、チラシ画像Ｐの消去を指示する操作が行われるのを待機する（ステップＳ１０６−ＮＯ）。
そして、チラシ画像Ｐの消去を指示する操作が行われるのに応じて（ステップＳ１０６−ＹＥＳ）、電子チラシ出力部３２６は、これまで表示させていたチラシ画像Ｐを消去する（ステップＳ１０７）。チラシ画像Ｐの消去に伴い、例えば店舗案内画像表示部３２３は店舗案内画像の表示に切り換える。
【００８７】
図１１のフローチャートは、店舗案内画像の表示を開始させる操作、または、更新のために端末装置３００が実行する処理手順例を示している。
店舗案内画像表示部３２３は、店舗案内画像の表示開始または店舗案内画像における地図画像をスクロールさせる操作が行われるのを待機している（ステップＳ２０１−ＮＯ）。そして、店舗案内画像の表示開始または地図画像のスクロールの操作が行われるのに応じて（ステップＳ２０１−ＹＥＳ）、地図情報取得部３２１は、地図サーバ２００から地図情報を取得する（ステップＳ２０２）。
地図サーバ２００から地図情報を取得するにあたり、地図情報取得部３２１は、前述のように基準位置の情報を含む地図情報要求を地図サーバ２００に送信する。基準位置は、例えば、表示開始時であれば、予め登録された位置もしくは現在位置である。また、地図画面のスクロール操作が行われた場合は、スクロールに応じて更新された地図上での表示の中心位置であればよい。
地図サーバ２００は、地図情報要求の受信に応答して、基準位置の情報が示す基準位置に対して一定範囲の地図情報を送信する。地図情報取得部３２１は、このように送信された地図情報を取得する。
【００８８】
また、配信状況情報取得部３２２は、電子チラシ配信サーバ１００から配信状況情報を取得する（ステップＳ２０３）。
配信状況情報の取得にあたり、配信状況情報取得部３２２は、配信状況情報要求を電子チラシ配信サーバ１００に送信する。電子チラシ配信サーバ１００は、配信状況情報要求の受信に応答して、現在における各店舗の電子チラシの配信状況を示す配信状況情報を送信する。送信された配信状況情報は、通信部３０１にて受信される。配信状況情報取得部３２２は、受信された配信状況情報を通信部３０１から取得する。
【００８９】
次に、店舗案内画像表示部３２３は、閲覧対象チラシリスト記憶部３３１が記憶する閲覧対象チラシリストを参照する（ステップＳ２０４）。
次に、店舗案内画像表示部３２３は、店舗案内画像の新規表示、もしくは、店舗案内画像の更新表示を実行する（ステップＳ２０５）。つまり、店舗案内画像表示部３２３は、ステップＳ２０２にて取得した地図情報により地図画像を表示させ、ステップＳ２０３にて取得した配信状況情報を利用して、地図画像上に店舗標示を表示させる。
店舗案内画像表示部３２３は、ステップＳ２０５において店舗案内画像を表示するにあたり、メモ管理情報を利用して、店舗標示ごとに、メモ情報が登録されている店舗であることを示す態様と、メモ情報が登録されていない店舗であることを示す態様とのいずれかによる表示を行う。
【００９０】
なお、図１１の処理では、端末装置３００が地図サーバ２００と電子チラシ配信サーバ１００のそれぞれから地図情報と配信状況情報を取得して店舗案内画像を表示させているが、以下のような構成によって店舗案内画像を表示させてもよい。つまり、例えば、地図サーバ２００が電子チラシ配信サーバ１００から配信状況情報を取得し、取得した配信状況情報を利用して店舗の情報が付加された地図情報を生成し、端末装置３００に送信する。端末装置３００は、受信した地図情報と、地図情報に付加された店舗の情報とを利用して店舗標示などを配置させた店舗案内画像を表示させる。
【００９１】
図１２のフローチャートは、図１１のステップＳ２０５において店舗案内画像表示部３２３が店舗案内画像を表示するにあたり、店舗標示を表示するための処理手順例を示している。
まず、店舗案内画像表示部３２３は、配信状況情報において示される店舗のうちから１つの処理対象の店舗を選択する（ステップＳ３０１）。
次に、店舗案内画像表示部３２３は、処理対象の店舗の店舗ＩＤを含むメモ情報がメモ管理情報に登録されているか否かについて判定する（ステップＳ３０２）。
処理対象の店舗の店舗ＩＤを含むメモ情報が登録されている場合（ステップＳ３０２−ＹＥＳ）、店舗案内画像表示部３２３は、メモ情報が登録されている店舗であることを示す店舗標示ＭＫ２を地図画像上における処理対象の店舗の位置に対応させて表示する（ステップＳ３０３）。
一方、処理対象の店舗の店舗ＩＤを含むメモ情報が登録されていない場合（ステップＳ３０２−ＮＯ）、店舗案内画像表示部３２３は、標準の店舗標示ＭＫ１を地図画像上における処理対象の店舗の位置に対応させて表示する（ステップＳ３０４）。前述のように、標準の店舗標示ＭＫ１は、メモ情報が登録されている店舗であることを示す。
【００９２】
ステップＳ３０３またはステップＳ３０４の処理を実行した後、店舗案内画像表示部３２３は、全ての処理対象の店舗について店舗標示を表示させる処理を実行したか否かについて判定する（ステップＳ３０５）。
未だ処理対象の店舗が残っている場合（ステップＳ３０５−ＮＯ）、店舗案内画像表示部３２３は、ステップＳ３０１に戻る。これにより、次の処理対象の店舗が処理対象として選択され、メモ情報の登録の有無に応じた店舗標示の表示が行われる。
そして、全ての処理対象の店舗についての店舗標示の表示が完了すると（ステップＳ３０５−ＹＥＳ）、店舗案内画像における店舗標示の表示のための制御が終了する。
このように、図１２に示す処理が実行されることで、図６（ａ）に例示したように、店舗ごとのメモ情報の登録の有無に応じて、店舗標示ＭＫ１、ＭＫ２のいずれかによる表示区分が地図画像上で行われる。
【００９３】
図１３のフローチャートは、メモ情報が登録されている店舗であることを示す店舗標示ＭＫ２に対するタッチ操作に応じて、図６（ｂ）に例示したようにメモ内容リスト画像ＬＳＴを表示させるために端末装置３００が実行する処理手順例を示している。
【００９４】
端末装置３００において、店舗案内画像表示部３２３は、店舗案内画像を表示させた状態において、店舗標示ＭＫ２（図では「メモ情報登録済みの店舗標示」と記載）に対するタッチ操作が行われるのを待機している（ステップＳ４０１−ＮＯ）。
店舗標示ＭＫ２に対するタッチ操作が行われるのに応じて（ステップＳ４０１−ＹＥＳ）、店舗案内画像表示部３２３は、メモ管理情報記憶部３３２が記憶するメモ管理情報から、タッチ操作が行われた店舗標示ＭＫ２に対応する店舗の店舗ＩＤを含むメモ情報を取得する（ステップＳ４０２）。ここで、タッチ操作が行われた店舗標示ＭＫ２に対応する店舗の店舗ＩＤを含むメモ情報がメモ管理情報に複数登録されていれば、店舗案内画像表示部３２３は、ステップＳ４０２においてこれら複数のメモ情報を取得する。
【００９５】
次に、店舗案内画像表示部３２３は、メモ内容リスト画像ＬＳＴを表示する（ステップＳ４０３）。つまり、店舗案内画像表示部３２３は、ステップＳ４０２により取得したメモ情報の各々に含まれているメモ内容を利用してメモ内容リストを生成する。そして、生成したメモ内容リストを示すメモ内容リスト画像ＬＳＴを、タッチ操作が行われている店舗標示ＭＫ２を起点とした位置に表示させる。これにより、例えば図６（ｂ）に示したように、タッチ操作が行われた店舗標示ＭＫ２を起点とするポップアップ画像として、メモ内容リスト画像ＬＳＴが表示される。
【００９６】
ステップＳ４０３によりメモ内容リスト画像ＬＳＴを表示させた状態の下で、店舗案内画像表示部３２３は、店舗標示ＭＫ２に対するタッチ操作が解除されるのを待機している（ステップＳ４０４−ＮＯ）。
そして、店舗標示ＭＫ２に対するタッチ操作が解除されるのに応じて（ステップＳ４０４−ＹＥＳ）、店舗案内画像表示部３２３は、これまで表示させていたメモ内容リスト画像ＬＳＴを消去する（ステップＳ４０５）。
【００９７】
なお、これまでの説明では、端末装置３００がメモ管理部３２７を備えてメモ管理情報を管理する例を挙げている。しかし、電子チラシ配信サーバ１００のほうにメモ管理部を設け、メモ管理部によって端末装置３００ごとに対応するユーザのメモ管理情報を管理するようにしてもよい。
この場合、端末装置３００は、メモ情報の登録操作が行われるのに応じて、メモ情報を生成して電子チラシ配信サーバ１００に送信する。電子チラシ配信サーバ１００は、受信したメモ情報を対応のユーザのメモ管理情報に登録する。
また、端末装置３００は、電子チラシ配信サーバ１００から対応のユーザのメモ管理情報を取得し、取得したメモ管理情報を利用して店舗標示の態様の変更を行ったり、メモ内容リスト画像ＬＳＴの表示などを実行すればよい。
【００９８】
なお、上述の制御部３０２の機能を実現するためのプログラムをコンピュータ読み取り可能な記録媒体に記録して、この記録媒体に記録されたプログラムをコンピュータシステムに読み込ませ、実行することにより上述の制御部３０２の処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００９９】
１００  電子チラシ配信サーバ
２００  地図サーバ
３００  端末装置
３０１  通信部
３０２  制御部
３０３  記憶部
３０４  表示部
３０５  操作部
３１０  電子チラシ閲覧アプリケーション
３２１  地図情報取得部
３２２  配信状況情報取得部
３２３  店舗案内画像表示部
３２４  チラシサムネイル表示部
３２５  閲覧対象チラシ管理部
３２６  電子チラシ出力部
３２７  メモ管理部
３３１  閲覧対象チラシリスト記憶部
３３２  メモ管理情報記憶部
４００  ネットワーク
【図１】
2014194639.tif 000003
【図２】
2014194639.tif 000004
【図３】
2014194639.tif 000005
【図４】
2014194639.tif 000006
【図５】
2014194639.tif 000007
【図６】
2014194639.tif 000008
【図７】
2014194639.tif 000009
【図８】
2014194639.tif 000010
【図９】
2014194639.tif 000011
【図１０】
2014194639.tif 000012
【図１１】
2014194639.tif 000013
【図１２】
2014194639.tif 000014
【図１３】
2014194639.tif 000015